(57)【要約】 高騒音下での通話用、音声認識入力用のマイクロホン、殊に、送話と受話とを同時に行なう際にハウリングを起こしにくい振動ピックアップマイクロホンを提供することを課題とするものであって、送受話器等の人体当接面に配設されるハウジング１と、ハウジング１内に組み込まれる空気振動集音型のマイクロホンユニット２と、ハウジング１内においてマイクロホンユニット２を支持する弾性材製マイクロホンホルダ５とを備え、ハウジング１は、マイクロホンホルダ５を嵌装する上面を開口したケース３と、ケース３の外側面を被覆する弾性材製カバー４とから成り、マイクロホンホルダ５の上面に、マイクロホンホルダ５との間に気室１６を形成するようにして複層振動板６を配設し、複層振動板６を構成する振動板６ａ、６ｂ間に密封空隙７を設けた。【選択図】図１
2009098888.tif 000002
【特許請求の範囲】
【請求項１】
送受話器等の人体当接面に配設されるハウジングと、前記ハウジング内に組み込まれる空気振動集音型のマイクロホンユニットと、前記ハウジング内において前記マイクロホンユニットを支持する弾性材製マイクロホンホルダとを備え、前記ハウジングは、前記マイクロホンホルダを嵌装する上面を開口したケースと、前記ケースの外側面を被覆する弾性材製カバーとから成り、前記マイクロホンホルダの上面に、前記マイクロホンホルダとの間に気室を形成するようにして複層振動板を配設し、  前記複層振動板を構成する振動板間に密封空隙を設けたことを特徴とする振動ピックアップマイクロホン。
【請求項２】
前記複層振動板はドーム形状である、請求項１に記載の振動ピックアップマイクロホン。
【請求項３】
前記複層振動板は、内側サブ振動板と外側サブ振動板の２枚の振動板から成っていて、前記内側サブ振動板と外側サブ振動板の間に、前記密封空隙が保持される、請求項１に記載の振動ピックアップマイクロホン。
【請求項４】
前記内側サブ振動板の内面中央部に、前記外側サブ振動板の内面に当接し又は固定された突起を形成した、請求項３に記載の振動ピックアップマイクロホン。
【請求項５】
前記外側サブ振動板の内面中央部に、前記内側サブ振動板の内面に当接し又は固定された突起を形成した、請求項３に記載の振動ピックアップマイクロホン。
【請求項６】
前記マイクロホンホルダはその上面に、前記複層振動板の底面凹陥部内に嵌入して前記複層振動板を支持する支持枠を備える、請求項１に記載の振動ピックアップマイクロホン。
【請求項７】
前記複層振動板はその下端に、周端面が前記ケース内側面に当接するフランジを備える、請求項１に記載の振動ピックアップマイクロホン。
【請求項８】
前記複層振動板は、その外表面が球面状である、請求項１に記載の振動ピックアップマイクロホン。
【発明の詳細な説明】
【技術分野】
【０００１】
本発明は振動ピックアップマイクロホン、より詳細には、骨振動や声帯振動をピックアップするタイプの振動ピックアップマイクロホンに関するものである。
【背景技術】
【０００２】
外部騒音を感知しにくく、話者の音声だけをピックアップするマイクロホンとして、骨伝導マイクロホンやスロートマイクがある。この内、骨振動をピックアップする骨伝導マイクロホンの代表的なものとして、図５に示すような、圧電素子を用い、これを支持部で支持させる加速度ピックアップマイクロホンがある。  【０００３】
このタイプのマイクロホンの欠点として、機械的振動に弱いこと、つまり、ハウジングやケーブルに触った時に、その振動、摺動音が大きくピックアップされてしまう点が指摘される。また、このタイプのものは、素子を収納しているハウジング自体が外部音に対してのセンサーとして作用するため、１１０ｄＢ  ＳＰＬを超えるような高騒音下では、外部音とのＳ／Ｎが確保できなくなってしまうという欠点もある。  【０００４】
更に、ダイナミックタイプのマイクロホンもあるが（図６参照）、それは振動に対しては有利であるものの、構造的に大きくなってしまうという欠点がある。なお、ダイナミックタイプは、その構造から感度を高く取ることができないので、主に、声帯振動をピックアップするスロートマイクに用いられる。  【０００５】
【特許文献１】特開２００６−２０２４７号公報
【特許文献２】特開２００４−２２９１４７号公報
【特許文献３】特開２００１−２９２４８９号公報
【特許文献４】特開２０００−２０１８７５号公報
【発明の開示】
【発明が解決しようとする課題】
【０００６】
本発明は、上述したような、話者の音声だけをピックアップすることを企図した従来のマイクロホンにおける欠点に鑑みてなされたもので、高騒音下での通話用、音声認識入力用のマイクロホン、殊に、送話と受話とを同時に行なう際にハウリングを起こしにくい振動ピックアップマイクロホンを提供することを課題とする。
【課題を解決するための手段】
【０００７】
上記課題を解決するための請求項１に記載の発明は、送受話器等の人体当接面に配設されるハウジングと、前記ハウジング内に組み込まれる空気振動集音型のマイクロホンユニットと、前記ハウジング内において前記マイクロホンユニットを支持する弾性材製マイクロホンホルダとを備え、前記ハウジングは、前記マイクロホンホルダを嵌装する上面を開口したケースと、前記ケースの外側面を被覆する弾性材製カバーとから成り、前記マイクロホンホルダの上面に、前記マイクロホンホルダとの間に気室を形成するようにして複層振動板を配設し、前記複層振動板を構成する振動板間に密封空隙を設けたことを特徴とする振動ピックアップマイクロホンである。  【０００８】
好ましい実施形態においては、前記複層振動板はドーム形状とされ、また、前記複層振動板は、内側サブ振動板と外側サブ振動板の２枚の振動板から成っていて、前記内側サブ振動板と外側サブ振動板の間に、前記密封空隙が保持されるものとされる。  【０００９】
また、前記内側サブ振動板の内面中央部に、前記外側サブ振動板の内面に当接し又は固定された突起を形成したものとされ、あるいは、前記外側サブ振動板の内面中央部に、前記内側サブ振動板の内面に当接し又は固定された突起を形成したものとされる。  【００１０】
更に、前記マイクロホンホルダはその上面に、前記複層振動板の底面凹陥部内に嵌入して前記複層振動板を支持する支持枠を備えるものとされ、前記複層振動板はその下端に、周端面が前記ケース内側面に当接するフランジを備えるものとされ、前記複層振動板は、その外表面が球面状とされることが好ましい。
【発明の効果】
【００１１】
本発明は上述した通りであって、外部騒音の影響を受けにくく、以て、高騒音下での通話用、スピーカ付マイクロホン用のマイクロホンとして好適なものとなる。  【００１２】
特にマイクロホンユニットが、外側サブ振動板から離隔した、あるいは、中央の突起部分で接触し又はつながった内側サブ振動板によってハウジング内に密閉状態にされるので、送受同時使用時において本マイクロホンを皮膚に密着させていなくてもハウリングが起こるおそれがなくなり、対騒音特性が改善されて、品質の高い送話と受話を同時に行なうことが可能となる効果がある。
【発明を実施するための最良の形態】
【００１３】
本発明を実施するための最良の形態を、添付図面に依拠して説明する。本発明に係る振動ピックアップマイクロホンは、それが設置される送受話器等の人体当接面に配設されるハウジング１と、ハウジング１内に設置されるマイクロホンユニット２と、ハウジング１内においてマイクロホンユニット２を支持するマイクロホンホルダ５を備える。  【００１４】
ハウジング１は、マイクロホンホルダ５を収納するケース３と、ケース３に被装されるカバー４とから成る。ケース３内には、マイクロホンユニット２を支持するマイクロホンホルダ５が嵌め込まれ、また、マイクロホンホルダ５の上面を覆うようにして、複層振動板６が配設される。複層振動板６は平坦なものであってもよいが、好ましくは、ドーム形状とする。  【００１５】
本発明者は当初、上記複層振動板６の代わりに単層振動板を用いたものを創案した。しかし、この単層振動板を用いたものの場合、マイクロホンを装着してからＯＮする場合は問題ないが、ＯＮしてから装着する使い方の場合、送受同時使用すると、スピーカから出た音を単層振動板が拾ってしまうためにハウリングが起こる不具合があることが分かった。そこで本発明においては、単層振動板を改良して複層振動板６としたものである。  【００１６】
複層振動板６は、二重又はそれ以上積層した弾性資材製の振動板で構成され、各振動板間に密封空隙７が保持される。図示した複層振動板６は、内側サブ振動板６ａと外側サブ振動板６ｂとから成る二重構造で、内側サブ振動板６ａと外側サブ振動板６ｂの間に、空隙７が封止状態に保持される。複層振動板６がドーム形状の場合は、中央部が最も離れた密封空隙７となる。  【００１７】
ドーム形状の内側サブ振動板６ａは、その下端周縁にフランジ１５を備えたものとされる。このフランジ１５は、マイクロホンホルダ５の上面外縁上に密着状態に乗ると共に、その周端面がケース３の内側面に密着することにより、ケース３内に確固と収まり、また、内側サブ振動板６ａの外側面が、ケース３の内側面から離隔するように作用する。  【００１８】
外側サブ振動板６ｂは、内側サブ振動板６ａと同様のドーム形状であって、上記のように、密封空隙７を保持して、内側サブ振動板６ａに被装状態に設置される。外側サブ振動板６ｂの素材は、内側サブ振動板６ａの素材と同じとすることができ、また、それよりも少し軟らかい素材とすることもある。内側サブ振動板６ａと外側サブ振動板６ｂは一体成形することができ、また、内側サブ振動板６ａと外側サブ振動板６ｂとを別に成形し、後に接着、溶着等によって一体化することもできる。  【００１９】
内側サブ振動板６ａは、後述するように、マイクロホンホルダ５上面の支持枠１４に嵌め付けることによりケース３内に確固と装填され、マイクロホンホルダ５との間に気室１６が形成される。通例、内側サブ振動板６ａは、カバー４上面の皮膚当接部１０と同じ高さとなるか、それよりも少しはみ出るように設計される。  【００２０】
ケース３は上面を開口した容体で、通例、黄銅、ステンレス、鉄等の高比重材料製であり、その側壁下部に、マイクロホンユニット２から出るリード線８を引き出すための孔９が形成される。  【００２１】
カバー４は、シリコンラバー等の皮膚当接感のよい弾性材製で、ケース３を、その上面開口部を残して、スッポリと被覆する。カバー４の上端は、ケース３の上端面に被さるように内方に延長され、その内方延長部が、環状の皮膚当接部１０となる。カバー４にも、ケース３の孔９に対応してこれに連通する孔１１が形成され、孔９、１１を通してリード線８が引き出される。  【００２２】
マイクロホンホルダ５は、やはりシリコンラバー等の弾性材製で、ケース３内に密に嵌装される。マイクロホンホルダ５は、ケース３の内側面に密着する周脚１２を有し、また、その上面中央部に、マイクロホンユニット２を保持するための保持開口１３を有する。更に、マイクロホンホルダ５の上面には、保持開口１３を囲むようにして、上記環状の支持枠１４が形成される。支持枠１４は、内側サブ振動板６ａの球面状に窪む底面内に嵌まり込むことによって、複層振動板６を支持する。  【００２３】
上記構成の振動ピックアップマイクロホンを使用するに当たっては、図２に示すように外側サブ振動板６ｂを、頬等の皮膚２０に押し当てる。外側サブ振動板６ｂの素材は、内側サブ振動板６ａの素材と同じかそれよりも軟性素材製であるので、皮膚に押し当てられることにより内側に押し潰され（密封空隙７内の空気は、両サブ振動板６ａ、６ｂ間の間隙を拡げつつ、周縁部に移動する。）、内側サブ振動板６ａに面接触することになり、内側サブ振動板６ａと一体となる。  【００２４】
内側サブ振動板６ａは、カバー４の皮膚当接部１０と同じかそれよりも膨出しているので、内側サブ振動板６ａと接触した際の外側サブ振動板６ｂの外表面は、カバー４の皮膚当接部１０より膨出することになり、十分且つ確実に皮膚２０に密着することになる。  【００２５】
なお、外側サブ振動板６ｂと同時にカバー４の皮膚当接部１０が皮膚２０に密着するまで押し当てることが好ましいが、内側サブ振動板６ａは皮膚当接部１０と同じかそれよりも膨出しているので、皮膚当接部１０が、内側サブ振動板６ａと外側サブ振動板６ｂの接触を阻害することはなく、また、皮膚に弾力性があるため、押し潰されて内側サブ振動板６ａに接触した外側サブ振動板６ｂは、確実且つ十分に皮膚２０に密着する。  【００２６】
かくして装着者が音声を発すると、その骨振動や声帯振動が外側サブ振動板６ｂによってピックアップされ、これと一体となっている内側サブ振動板６ａが、共に振動する。  【００２７】
この外側サブ振動板６ｂと内側サ
ブ振動板６ａの一体振動によって気室１６内の空気が振動し、音波となってマイクロホンユニット２の振動板に到達する。その際、気室１６は外部から完全に離隔されているため、外部騒音がマイクロホンユニット２に達することはない。  【００２８】
また、マイクロホンユニット２は、それ自体が機械的振動をピックアップしにくいという基本構造を有しているため、本発明に係る振動ピックアップマイクロホンは、非常に振動と外部騒音に強いものとなる。  【００２９】
更に、ハウジング１は、ケース３とカバー４とで構成されていて、ケース３は、音圧に対する感度を下げる目的で、黄銅、ステンレス、鉄等の高比重材料にて形成される。その一方、カバー４には弾性材を用いることで、皮膚当接部１０が皮膚２０に接触するまで押し当てた場合に、その内方の気密性を確保することができ、以て、外部音の侵入を効果的に防止することができる。そして、更に、マイクロホンホルダ５を弾性材製とすることで、不要な振動をより感知しにくい構成とすることができる。  【００３０】
非使用時に本マイクロホンを皮膚２０から離すと、外側サブ振動板６ｂはその弾性によって内側サブ振動板６ａから離隔し、両サブ振動板６ａ、６ｂ間の密封空隙７は、元の状態に戻る。外側サブ振動板６ｂを有しない振動ピックアップマイクロホンと比較して、外部騒音に対する感度を１０ｄＢ程度改善することができた（図３参照）。  【００３１】
図４に示す実施形態は、内側サブ振動板６ａの内面に小さな突起１８を形成したもので、その点以外の構成は上記実施形態と同じである。突起１８の上端は、常時外側サブ振動板６ｂの内面に当接するものとされ、あるいは、固定される。突起１８は、外側サブ振動板６ｂの側に設けることとしてもよい。  【００３２】
上記いずれの場合においても、外側サブ振動板６ｂと内側サブ振動板６ａは、単に突起１８でつながった状態になっているに過ぎないので、上記実施形態の場合と同様の作用効果を奏する。  【００３３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３４】
【図１】本発明の一実施形態の構成を示す縦断面図である。
【図２】本発明の使用状態図である。
【図３】本発明の振動ピックアップマイクロホンと従来の振動ピックアップマイクロホンの外部騒音に対する感度の測定結果を示す図である。
【図４】本発明の他の実施形態の構成を示す縦断面図である。
【図５】従来の骨伝導マイクロホンの構成例を示す縦断面図である。
【図６】従来のダイナミックタイプのマイクロホンの縦断面図である。
【図１】
2009098888.tif 000003
【図２】
2009098888.tif 000004
【図３】
2009098888.tif 000005
【図４】
2009098888.tif 000006
【図５】
2009098888.tif 000007
【図６】
2009098888.tif 000008
【国際調査報告】
2009098888.tif 000009
2009098888.tif 000010